(57)【要約】コンパクトディスク用の収納ケースであって、ハウジングの中に回転可能に取り付けられたものである。クレードルは、好ましくは、基部と、外側に向けて傾いた側壁であって基部から上へ延びる側壁と、基部の反対の側から上へ延びる少なくとも一つの丸みのある突出部を備えている。ディスクを収納するために、丸い突出部と側壁との間に溝が形成されている。タブが、好ましくは丸い突出部の中に配置されており、クレードルの中のディスクを固定し、ディスクが不用意にクレードルから脱落することを防止する。【選択図】図２
2006528929.tif 000002
【特許請求の範囲】
【請求項１】
読み取り可能なデータが入っているディスクを収納するためのクレードルであって、
垂直に直立しており、外側に向けて傾いている側壁及び前記側壁と対向している少なくとも一つの丸みのある突出部を備えた基部であって、前記側壁と前記丸みのある突出部との間に前記ディスクを収納するための溝が形成されている基部と、
前記丸みのある突出部の内部かつ前記基部の近傍に配置されているタブであって、ディスクを収納のために前記溝に配置したときに前記ディスクと係合するタブと、
後壁と、
垂直に直立した前壁と
を備えるクレードル。
【請求項２】
請求項１によるクレードルにおいて、前記側壁が前記丸みのある突出部よりも高く、前記ディスクを前記溝に容易に挿入できるようにしている、クレードル。
【請求項３】
請求項１によるクレードルにおいて、前記側壁の傾きは３から４度である、クレードル。
【請求項４】
請求項１によるクレードルにおいて、前記タブは、前記ディスクの読み取り不可能な外縁と係合し、前記ディスクを前記側壁の底部に押し付け、前記ディスクを前記クレードル内で固定するように配置されている、クレードル。
【請求項５】
請求項１によるクレードルにおいて、さらに、複数の丸みのある突出部を備えている、クレードル。
【請求項６】
請求項１によるクレードルにおいて、前記側壁はほぼＣ字形状になっている、クレードル。
【請求項７】
請求項１によるクレードルにおいて、前記側壁及び前記丸みのある突出部の間に前記ディスクの外縁を支持するための幅の狭い平面部をさらに備え、前記幅の狭い平面部は、前記クレードルの前壁に沿って斜面を備えている、クレードル。
【請求項８】
読み取り可能なデータが入っているディスクのための収納ケースであって、
ハウジングと、
前記ハウジング内に旋回可能に取り付けられた収納用のクレードルであって、基部、前壁、後壁、前記基部から延びており、垂直に直立して外側へ傾いている側壁、及び前記ベースから延びる少なくとも一つの丸みのある突出部を備え、前記側壁及び前記丸みのある突出部の間に前記ディスクを収納するために溝が形成されているクレードルと、
前記丸い突出部の中において前記クレードルの前記基部の近傍に配置されたタブであって、前記溝に配置された前記ディスクと係合し、前記ディスクを前記側壁の底部に押し付け、前記ディスクを前記クレードル内に固定するように作用するタブと
後壁と、
垂直に直立した前壁と
を備える収納ケース。
【請求項９】
請求項８による収納ケースにおいて、前記クレードルの前記前壁に取り付けられて、前記クレードルを前記ハウジング内で容易に旋回できるようにするフィンガータブをさらに備える、収納ケース。
【請求項１０】
請求項９による収納ケースにおいて、前記クレードルの前記後壁から延びるラッチアームをさらに備えており、前記ラッチアームは、前記クレードルを閉じた位置へ旋回させたときに、前記ハウジングの後壁から延びる固定用タブと係合し、前記ラッチアーム及び前記固定用タブが、前記収納ケースを閉じたときに確実にロックする、収納ケース。
【請求項１１】
請求項１０による収納ケースにおいて、前記ラッチアームはノッチをさらに備えており、前記ノッチは、前記収納ケースを閉じたときに前記固定用タブと係合して確実にロックする、収納ケース。
【請求項１２】
請求項８による収納ケースにおいて、小冊子を収納するための収納レールをさらに備えている、収納ケース。
【請求項１３】
請求項１２による収納ケースにおいて、前記収納レールは、前記ハウジングの幅のほぼ全体に延びている、収納ケース。
【請求項１４】
請求項８による収納ケースにおいて、前記クレードルの前記側壁は、前記丸みのある突出部よりも高く、前記ディスクを前記溝に挿入しやすくしている、収納ケース。
【請求項１５】
請求項８による収納ケースにおいて、前記クレードルの前記側壁の傾きは、３から４度である、収納ケース。
【請求項１６】
請求項８による収納ケースにおいて、前記丸みのある突出部に配置された前記タブは、前記ディスクの読み取り不可能な外縁と係合するように配置されている、収納ケース。
【請求項１７】
請求項８による収納ケースにおいて、前記クレードルは、複数の丸みのある突出部をさらに備えている、収納ケース。
【請求項１８】
請求項８による収納ケースにおいて、前記クレードルの前記側壁は、ほぼＣ字形状をしている、収納ケース。
【請求項１９】
請求項８による収納ケースにおいて、前記クレードルはストップノッチをさらに備え、前記ストップノッチは、前記クレードルが開けたときに約９０°よりも回ることを防止する、収納ケース。
【請求項２０】
請求項１による収納ケースにおいて、前記ディスクの外縁を支持するために、前記側壁及び前記丸みのある突出部との間に幅の狭い平面部をさらに備えており、前記幅の狭い平面部は、前記クレードルの前壁に沿って斜面を備えていて、前記クレードルが前記開いた位置まで回されたときに、前記ディスクが前記ケースから不用意に転がり出ることを防止する、収納ケース。
【請求項２１】
読み取り可能なデータが入っているディスクを収納するためのクレードルであって、
垂直に直立しており外側へ向けて傾いている側壁及び前記側壁に対向する少なくとも一つのタブを備えた基部であって、前記ディスクを収納するために前記側壁及び前記タブの間に溝が形成されており、前記タブは、前記ディスクが収納のために前記溝に置かれたときに前記ディスクと係合するように作用する基部と、
後壁と、
垂直に直立している前壁と
を備えるクレードル。
【請求項２２】
請求項２１によるクレードルにおいて、前記タブは、前記ディスクの読み取り不可能な外縁と係合し、前記ディスクを前記側壁の底部に押し付け、前記ディスクを前記クレードル内に固定するように配置されている、クレードル。
【請求項２３】
請求項２２によるクレードルにおいて、複数のタブをさらに備えている、クレードル。
【請求項２４】
請求項２４によるクレードルにおいて、前記ディスクの外縁を支持するために、前記側壁及び前記丸みのある突出部との間に幅の狭い平面部をさらに備えており、前記幅の狭い平面部が前記クレードルの前壁に沿って斜面を備えている、クレードル。
【発明の詳細な説明】
【技術分野】
【０００１】
本発明は、収納装置に関し、より詳細には、ＣＤＲＯＭ、ＣＤ−Ｇ、ＣＤビデオディスク、オーディオＣＤ、カラオケＣＤ、及びＤＶＤを含むコンパクト、オーディオ、又はビデオディスクメディアを運ぶための収納ケースに関するものである。
【背景技術】
【０００２】
市場では、コンパクトディスク及びＤＶＤを収納するための多くの収納器具が普及している。ディスク収納ケースのあまり普及していないデザインに、プラスチック製で、ヒンジ留めされているブックレット型ケースがある。ディスクは中央のローゼット(rosette)の周りに収められ、この中央ローゼットがディスクの中央にある環状領域と係合する。このようなケースでは、ディスクを取り出すときに問題が生じる。ディスクがローゼットに挟まって、ディスクの取り出しが大変になることがある。他の例としては、ディスクをローゼットから外すのが難しいために、ディスクをケースから取り出すときに、ひびが入ったり、割れたりすることがある。このようなケースのカバーが基部からはずれ、ケースに置いたディスクが露出したままになることもよくある。
【発明の開示】
【０００３】
本発明の所定の実施形態は、使用が簡単で便利な、コンパクトディスク等の収納用ケースを提供することにより、当該技術における重要な問題を解決する。
【０００４】
一般的に記載すると、本発明の所定の実施形態は、コンパクトディスク等のための改良型収納クレードルを提供するものであり、このクレードルは、垂直に直立していて外側に向かって傾いた側壁を有する基部を備えている。側壁の反対側には複数の丸みのある突出部があり、側壁及び丸みのある突出部の間に収納用の溝を形成している。好ましくは、タブは、丸みのある突出部の中であって溝の底部近傍に配置されている。丸みのある突出部及び側壁の間に形成された溝の間にディスクを配置することにより、ディスクを収納用クレードル中に置くことができる。タブは、ディスクをグリップして、ディスクをクレードル内に固定するように作用する。収納用クレードルは、後壁及び垂直に直立している前壁をも備えている。
【０００５】
本発明の所定の実施形態は、側壁が丸みのある突出部よりも高く、ディスクをクレードルの溝に挿入しやすくしているクレードルを提供している。側壁は、側壁の底部で、好ましくは３から４度傾いている。側壁の傾きは、ディスクを収納するときにクレードルの側壁と擦れることによる、収納したディスクの損傷を防止する。
【０００６】
本発明による所定の実施形態は、中に収納用クレードルを旋回可能に取り付けることができるハウジングをも提供する。クレードルの前壁に取り付けたプルタブが、収納ケースの開閉のためにクレードルをハウジング内で旋回し易くしている。
【０００７】
本発明の所定の実施形態によれば、ユーザフレンドリーなディスク収納装置を提供するために、収納ケースは人間工学的に設計されている。ユーザは、片手だけを使って、ただクレードルのプルタブを引っ張り、クレードルを閉じた位置から開いた位置へ回すことにより、収納されているディスクに簡単に手が届く。ディスクは、クレードルから簡単に取り出すことができる。ここでも使うのは片手だけである。タブがディスクをクレードルに配置されたときに固定する一方で、大きな努力も、ディスクに対するリスクもなく、ディスクをクレードルから簡単に外すことができる。同様に、片手を使ってクレードルの中のディスクを入れ替えることができる。これは、単に、ディスクをクレードルの溝に置いて、ディスクがタブと係合するようにそっとディスクの位置を合わせることにより行う。
【発明を実施するための最良の形態】
【０００８】
次に図面をより詳細に参照する。図面では、そのいくつかの図を通じて同じ符号が同じ部位をさしている。図１は、本発明の所定の実施形態による、読み取り可能なデータが入っているディスクを収納するためのケース１０の斜視図を示しており、このケース１０は、クレードル(cradle)１２及びハウジング７０を備えている。
【０００９】
図７は、クレードル１２の上面を示しており、この上面は、実質的に平坦な基部１４を備えている。後壁１６が基部の第１端部から垂直上方に延びている。前壁１８が基部１４の反対側端部から垂直上方に延びている。前壁１８は、好ましくは、高さが後壁１６の約２倍である。前壁１８はまた、好ましくは、クレードルに収納するディスク１１の直径よりもわずかに高い。
【００１０】
垂直に直立している側壁２０は、基部の一方の側端部から上方に延びており、前壁１８及び後壁１６に沿って上方に延びている。側壁２０の底部は、好ましくは、図６に示すように外側に向けて傾いている。本発明の所定の実施形態によれば、側壁２０の角度は、好ましくは、３から４度の間であってもよい。側壁の上部は、好ましくは、基部に対して垂直で、真っ直ぐである。側壁の上端は、ほぼＣ字形状であり、これにより、クレードルに収めたディスクに手が届きやすくなっている。
【００１１】
複数の丸みのある突出部２２が、好ましくは、クレードルの基部１４、前壁１８、及び後壁１６の両側端部から上方に延びている。丸みのある突出部２２は、好ましくは、側壁２０に比べて短い。溝２５が、図６Ａに示すように、側壁２０及び丸みのある突出部２２の間に形成されている。側壁及び丸みのある突出部は、収納するディスク１１の厚みが入る溝２５が形成されるように離して配置されている。幅の狭い平面部２４が、溝２５の底部であって、丸みのある突出部及び側壁の間に配置されている。幅の狭い平面部２４はまた、ほぼＣ字形状をしており、側壁２０の上端と非常に似た輪郭をしている。丸みのある突出部２２と側壁２０との間で高さが一致していないので、ディスクをクレードル１２の溝２５に配置することは比較的簡単である。一旦溝の中に入ったら、ディスクの外縁は幅の狭い平面部で支えられる。
【００１２】
タブ２３は、好ましくは、クレードルの丸みのある突出部２２の内側に配置されている。丸みのある突出部２２には、好ましくは、空いた領域があってもよく、タブ２３は、好ましくは、その丸みのある突出部の空いた領域の中へと延びていてもよい。丸みのある突出部は、特に収納したディスクを取り出す場合に、タブに対する望ましくない変形や損傷を、防ぐ。タブは、好ましくは、丸みのある突出部及び側面の間に形成された溝の中へ少し延びるように、幅の狭い平面部の少し上に配置される。本発明の所定の実施形態によれば、タブは、好ましくは、指のように延びた部分として形成することであってもよいが、要望があれば、他のあらゆる種類のタブを使用してもよい。図６Ａに示すように、タブ２３の内側の面は、好ましくは、タブの先端部分がより細く、タブの厚みがタブの底部に向けて徐々に厚さが増すように、クレードルの基部近傍において傾いていてもよい。タブの最も厚い部分と側壁の底部との間隔は、好ましくは、収納するディスクの厚みよりわずかに小さい。ディスク１１をクレードルに収納すべく溝に配置する際に、ディスクの底の縁部がタブの一部と係合できる。タブの表面が傾いているので、ディスクは、好ましくは、クレードルの基部に達するまで、タブの内側面に沿ってスライドする。この位置では、タブ２３がディスクの読み取り不可能な外側端部と係合して、軽く圧力を加え、タブと、丸みのある突出部と対向する側壁２０の底部との間で摩擦嵌合を作り出す。ディスクの読み取り可能な面の近傍にある側面の底部は、ディスクの読み取り可能な面と係合しないように外側へ向けて傾いており、これによりディスクの読み取り可能な面には傷が付かない。側面の上部は、ディスクに平行であるが、好ましくは接触しない。タブと対向する側面の部分が丸みのある突出部とほぼ同じ大きさの空いた領域であることが好ましいことがある。本発明の所定の実施形態によれば、クレードルは複数の丸みのある突出部を備え、その一部だけがディスクを保持するためのタブ２３をさらに備えていてもよい。あるいは、クレードルには丸みのある突出部が全くなく、ディスクを支持するタブだけが側壁の反対側にあることでもよい。
【００１３】
図１から３に示すように、本発明の所定の実施形態によるクレードル１２は、収納ケース１０を形成するハウジング７０の中に取り付けられることがある。このハウジングは、好ましくは、形状がほぼ長方形であり、基部壁７２を備えている。２つの垂直に直立している側壁７４、７５が基部壁の側端部から上方へ延びている。側壁は、好ましくは、互いに平行である。後壁７６が、基部壁から上方へ、２つの側壁の間で延びている。上壁７８が、ハウジングの最上部の端から端まで、側壁の間で延びている。ハウジングは、クレードル及びディスクを保持する大きさにしてある。
【００１４】
本発明の所定の実施形態によれば、ハウジングの側壁７４、７５は、図３に示すように、ハウジングの基部の前端を越えて延びている。ハウジングの側壁における基部の前端を越えて延びている部分は、好ましくは、角が少し丸くしてある。回転軸用のピン７９が、好ましくは、側壁の一つに角を丸くした端部の近傍において配置されている。回転軸用のピンは、２つの側壁７４、７５の間に延びている。
【００１５】
好ましくは、開口部がクレードルに、クレードルの基部と前壁とがであう角部の近傍において配置されている。クレードルはハウジングの中に、ハウジングの回転軸用のピンを開口部に通すことにより取り付けられている。これを行うために、ハウジングは、好ましくは２つの部分からなる。一方の部分は一方の側壁を含み、第２の部分は他方の側壁を含み、これらはくっつけ合わせることができる。固定用のタブが、一方のハウジング半割部の基部に配置されている。ハウジングの２つの半割部を一つに合わせると、一方の半割部の固定用タブが、第２の半割部に配置されている溝と係合して、２つの半割部をくっつけ合わせる。２つの半割部を固定するための他の方法を用いることができ、この他の方法には、貼り合わせ、熱溶接及び他のいろいろなスナップ嵌合構造が含まれることも分かるはずである。
【００１６】
フィンガータブ３５がクレードル１２の前壁の最上部分に配置されている。フィンガータブにより、クレードルを回転軸回りに回しやすくなる。回転軸は、収納ケース１０を組み立てるときにクレードルの開口部に貫通させるハウジングのピンで形成されている。このフィンガータブ３５により、ユーザは、クレードルを開いた位置又は閉じた位置から回すことができる。クレードルが閉じた位置にあるある場合、側壁７４が側壁の上部近傍に配置されたノッチ８１を備えているので、フィンガータブが利用しやすい。ノッチ８１により、フィンガータブ３５の側部が露出する。フィンガータブは、好ましくは、ユーザがクレードルをつかみやすい表面となるような外形にする、又はリブを付けることであってもよい。フィンガータブは、凹形状の外側側面及び上面を備えており、親指と一本の指とを用いてフィンガータブを開けやすいようにしている。ユーザは、好ましくは、親指をフィンガータブの側面に置き、指をフィンガータブの上面に置いて、クレードルを開いた位置へ簡単に回すことであってもよい。
【００１７】
ラッチアーム４０がクレードルの後壁から基部に向かって延びている。ラッチアームは、ノッチを備えており、かつ、曲面が付けられた先端部を有する。クレードルを開いた位置から閉じた位置まで回す際、ラッチアームの先端部は固定用タブ８０と接触する。固定用タブ８０は、ハウジング７０の中へと、ハウジングの後壁から延びている。固定用タブ８０は、好ましくは、ハウジングの後壁に、ハウジングの基部近傍において配置されている。ラッチアーム４０が最初に固定用タブと係合したとき、ユーザは、好ましくは、固定用タブ８０がラッチアームに加える圧力に気づく。ラッチアームは、好ましくは、本質的に弾性を有し、この弾性により、ユーザがクレードルを閉じた位置まで回し続けるにしたがい撓むことができる。ラッチアームは、固定用タブがラッチアームのノッチ４２と係合するまで撓み続ける。固定用タブ８０がラッチアーム４０のノッチ４２と係合すると、確実にロックし、クレードルが不用意に開くことはない。ラッチアームの撓みと固定用タブによる係合は、ケースを閉じるときにユーザに触感によるフィードバックを与え、ケースがきちんと閉じたことを知らせる。クレードルは、フィンガータブを引っ張り、固定用タブにラッチアームのノッチ４２を通り過ぎさせてクレードルを外し、クレードルを開いた位置まで回すことで開くことができる。
【００１８】
第１収納レール８５は、好ましくは、ハウジング内部の上壁７８に沿って配置してもよい。第２収納レール８６は、好ましくは、ハウジングの内側部分の基部近傍であって、第１収納レールと同じハウジングの側に配置されている。通常、読み取り可能なデータが入っているディスクに付いている小冊子（不図示）をハウジングの中に収納してもよい。この小冊子は、好ましくは、ハウジングの中で２つの収納レールの間で支えられる。クレードルの前壁は、好ましくは、ディスクの識別ラベルが入る大きさにしてある。
【００１９】
クレードルは、開いた位置にめいっぱい回したときに、好ましくは、約９０°だけ回ることであってもよい。好ましくは、クレードルが９０°以上回ることは、クレードルの基部に配置されたストップノッチ４７によって防止される。ストップノッチ４７は、クレードルが約９０°回されたときに第２収納レール８６と接触し、クレードルがそれ以上回ることを防止する。ストップノッチ４７が第２収納レール８６と係合すると、ユーザは、クレードルがそれ以上移動しないという徴候を得る。クレードルを９０°開いた位置まで回すことによって、ケースを平坦な面に開いた状態で載せることができる。
【００２０】
本発明の所定の実施形態によれば、ディスク１１をクレードル１２の中に置いてハウジング７０に収納できることが分かるはずである。ディスクは、収納されているときには、クレードルの、側壁及び丸みのある突出部の間に形成された溝２５の中に配置され、好ましくは、タブと係合している。クレードルは、ハウジング内で、閉じた位置と開いた位置の間で望みのままに回すことができる。ハウジングは、好ましくは、ハウジングの後壁に配置されたディスク保持タブ８９を備えている。ディスク保持タブ８９は、好ましくは、ハウジングの後壁における約２／３の高さに配置されており、ハウジングの中へと少し延びている。ディスクが入っているクレードルが閉じた位置にある場合、ディスク１１の外縁が好ましくはディスク保持タブ８９の外側端部で支えられ、ディスクがタブからはずれた場合にディスクがハウジングの中で動くことを防止することであってもよい。
【００２１】
幅の狭い平面部２４は、好ましくは、クレードルの前壁に沿った斜面５１を形成する。斜面は、クレードルを開いた位置に回したときであって、ディスクがタブからはずれた場合にディスクがクレードルから転がり出すのを防止する。したがって、ディスクがクレードルから落ちるという恐れなしに、クレードルを開いた位置まで９０°回すことができ、かつ、ケースを平坦面に置くことができる。
【００２２】
回転するクレードルをハウジング内に設けることにより、ユーザは、ケースを片手で開けることで収納されたディスクにアクセスできるようになる。片手でのアクセスには、自動車内でディスクを利用する場合の安全を含む、多数の利点がある。本発明は、問題を起こさずにディスクを利用できるようにし、かつ、ディスクの読み取り可能面に損傷を与えない収納構造を提供する。
【００２３】
複数のクレードルを、例えば隣接させて、一緒に並べてディスク収納ユニットを作ることができることは分かるはずである。本発明の所定の実施形態によれば、各ケースは、他のケースに取り付けるための相互連結タブを備えていることがある。好ましくは、このような相互連結タブにより、ユーザは、いろんなときに個々のケースを買い、それらをくっつけ合わせて、複数ディスク用の収納ユニットを作ることができる。
【００２４】
上記の実施形態は、本発明の創意工夫に満ちた概念の特定の側面を説明したものである。クレードル及びハウジングを備えたディスクをケースに保持する構造及び方法は、本発明の範囲及び趣旨から逸脱することなく変更することができることは分かるはずである。
【図面の簡単な説明】
【００２５】
【図１】図１は、本発明の所定の実施形態によるケースの斜視図である。
【図２】図２は、本発明の所定の実施形態によるケースが開いているときの斜視図である。
【図３】図３は、本発明の所定の実施形態によるケースが開いているときの斜視図である。
【図４】図４は、本発明の所定の実施形態によるケースの上面平面図である。
【図５】図５は、本発明の所定の実施形態によるケースの一部の上面平面図であり、ケースの開閉を示している。
【図６】図６は、図５のケースでディスクを含んでいるものの線６−６に沿った断面図である。
【図６Ａ】図６Ａは、図５のケースの線６−６に沿った断面図である。
【図７】図７は、本発明の所定の実施形態によるクレードルの斜視図である。
【図１】
2006528929.tif 000003
【図２】
2006528929.tif 000004
【図３】
2006528929.tif 000005
【図４】
2006528929.tif 000006
【図５】
2006528929.tif 000007
【図６】
2006528929.tif 000008
【図６Ａ】
2006528929.tif 000009
【図７】
2006528929.tif 000010
【国際調査報告】
2006528929.tif 000011
2006528929.tif 000012
2006528929.tif 000013